(57)【要約】【課題】            上下方向に極力設置スペースを取らないように工夫した、携帯端末のセミオート式のスライド装置を提供する。【解決手段】        第１の筐体と第２の筐体を上下方向に重ね合わせた状態で一方向へ相対的にスライドさせるものであって、前記第１の筐体と前記第２の筐体のいずれか一方のものの側に取り付けたカム部材と、このカム部材に旋回可能に取り付けられ前記第１の筐体と第２の筐体のいずれか他方のものの側に設けたガイド長孔に軸支された旋回部材と、この旋回部材と前記カム部材の間に先端を該カム部材のカム部に当接させつつ一方向へ摺動附勢されて設けたスライダーと、を有し、前記カム部の形状をその側部から前記旋回部材の旋回方向へ突出した形状とすることにより、前記第１の筐体と第２の筐体をその相対的な所定摺動位置からいずれか一方或は双方の方向へ摺動附勢することができるように構成する。【選択図】          図４
2005269070.tif 000002
【特許請求の範囲】
【請求項１】
第１の筐体と第２の筐体を上下方向に重ね合わせた状態で一方向へ相対的にスライドさせるものであって、前記第１の筐体と前記第２の筐体のいずれか一方のものの側に取り付けたカム部材と、このカム部材に旋回可能に取り付けられ前記第１の筐体と第２の筐体のいずれか他方のものの側に設けたガイド長孔に軸支された旋回部材と、この旋回部材と前記カム部材の間に先端を該カム部材のカム部に当接させつつ一方向へ摺動附勢されて設けたスライダーと、を有し、前記カム部の形状をその側部から前記旋回部材の旋回方向へ突出した形状とすることにより、前記第１の筐体と第２の筐体をその相対的な所定摺動位置からいずれか一方或は双方の方向へ摺動附勢することができるように構成したことを特徴とする、セミオート式のスライド装置。
【請求項２】
前記スライド手段を、前記カム部材を取り付けて前記第１の筐体と第２の筐体のいずれか一方のものの側に取り付けたベース部材と、前記ガイド長孔を設けて前記第１の筐体と第２の筐体のいずれか他方のものの側に取り付けられ前記ベース部材との間で互いに係合状態で一方向へ摺動可能に取り付けたスライド部材と、で構成したことを特徴とする、請求項１に記載のセミオート式のスライド装置。
【請求項３】
前記スライド機構を、前記第１の筐体と第２の筐体のいずれか一方のものに取り付けたスライドケースと、このスライドケースに対し係合状態でスライド可能に取り付けられ前記第１の筐体と第２の筐体のいずれか他方のものに取り付けたスライド部材と、で構成したことを特徴とする、請求項１に記載のセミオート式のスライド装置。
【請求項４】
前記スライド機構を、前記第１の筐体と第２の筐体のいずれか一方の側に設けたガイド溝と、このガイド溝と係合すべく前記第１の筐体と第２の筐体のいずれか他方の側に設けたガイド部と、で構成したことを特徴とする、請求項１に記載のセミオート式のスライド装置。
【発明の詳細な説明】
【技術分野】
【０００１】
この発明は、とくにスライド式の携帯電話機のような携帯端末に用いて好適なセミオート式のスライド装置に関する。
【背景技術】
【０００２】
携帯端末の一種である携帯電話機において、キーボード部やマイク部を設けた送話部としての第１の筐体と、ディスプレイ部やスピーカー部を設けた受話部としての第２の筐体を互いに重ね合わせた状態で、第１の筐体と第２の筐体が完全に重なり合って第２の筐体で第１の筐体の上面を覆う状態と、第２の筐体を第１の筐体に対して長手方向へスライドさせて第１の筐体の上面を露出させる状態を作り出す、スライド式のものが市場に出回っている。このようなスライド機構を記載した公知文献として、下記する特許文献１に記載されたものが公知である。
【０００３】
【特許文献１】特開２００３−１２５０５２号公開特許公報
【発明の開示】
【発明が解決しようとする課題】
【０００４】
上述した従来公知のスライド装置は、所定の摺動位置から自動的に閉成位置や開成位置へ摺動附勢させるセミオート機能を有していないが、最近のものはこの機能を有することが望まれている。その際の構成として、ロータリーカムを用いることが一般的であるが、このロータリーカムを用いると、当該ロータリーカムの回転軸が第１の筐体と第２の筐体が摺動する方向に対し直交する方向に向くように用いざるを得ないため、このロータリーカムを取り付ける第１の筐体か第２の筐体の厚さを薄くするのに限界があるという問題がある。近年この種の携帯電話機に代表される携帯端末は、全体の厚さを極力薄くすることも求められており、セミオート式のスライド装置を極力薄型化できるように工夫することが望まれている。
【０００５】
そこで、この発明の目的は、上下方向に極力設置スペースを取らないように工夫した、携帯端末のセミオート式のスライド装置を提供せんとするにある。
【課題を解決するための手段】
【０００６】
上述した目的を達成するためにこの発明は、第１の筐体と第２の筐体を上下方向に重ね合わせた状態で一方向へ相対的にスライドさせるものであって、前記第１の筐体と前記第２の筐体のいずれか一方のものの側に取り付けたカム部材と、このカム部材に旋回可能に取り付けられ前記第１の筐体と第２の筐体のいずれか他方のものの側に設けたガイド長孔に軸支された旋回部材と、この旋回部材と前記カム部材の間に先端を該カム部材のカム部に当接させつつ一方向へ摺動附勢されて設けたスライダーと、を有し、前記カム部の形状をその側部から前記旋回部材の旋回方向へ突出した形状とすることにより、前記第１の筐体と第２の筐体をその相対的な所定摺動位置からいずれか一方或は双方の方向へ摺動附勢することを特徴とする。
【０００７】
その際にこの発明は、前記スライド手段を、前記カム部材を取り付けて前記第１の筐体と第２の筐体のいずれか一方のものの側に取り付けたベース部材と、前記ガイド長孔を設けて前記第１の筐体と第２の筐体のいずれか他方のものの側に取り付けられ前記ベース部材との間で互いに係合状態で一方向へ摺動可能に取り付けたスライド部材と、で構成することができる。
【０００８】
この発明はさらに、前記スライド機構を、前記第１の筐体と第２の筐体のいずれか一方のものに取り付けたスライドケースと、このスライドケースに対し係合状態でスライド可能に取り付けられ前記第１の筐体と第２の筐体のいずれか他方のものに取り付けたスライド部材と、で構成することができる。
【０００９】
そして、この発明は、前記スライド機構を、前記第１の筐体と第２の筐体のいずれか一方の側に設けたガイド溝と、このガイド溝と係合すべく前記第１の筐体と第２の筐体のいずれか他方の側に設けたガイド部と、で構成することができる。
【発明の効果】
【００１０】
この発明によれば、カム部をカム部材の側部に旋回部材の旋回方向へ突出させて設け、このカム部に当接するスライダーを旋回部材に一方向へ摺動附勢させて設けたので、全体として上下方向の厚さが軽減されることにより、このセミオート式のスライド装置を取り付ける携帯端末の厚さを薄肉化させることができるものである。
【発明を実施するための最良の形態】
【００１１】
以下にこの発明を携帯電話機を例にとり説明するが、この発明に係るセミオート式のスライド装置は、携帯電話機以外の携帯ゲーム機やＰＤＡ（Personal  Digital  Assistance）のような携帯端末に実施できる。
【実施例１】
【００１２】
図１乃至図７において、指示記号２のものは携帯端末の一例としての携帯電話機１の送話部を構成する第１の筐体を示し、指示記号３のものは、受話部を構成する第２の筐体を示す。
【００１３】
第１の筐体２と第２の筐体３は互いに上下方向へ重ね合わされた状態でスライド手段４を介して相対的に一方向へ摺動可能に係合されており、このスライド手段４は第１の筐体２の上面に取り付けられたベース部材５と、このベース部材５の両側部に形成されたガイド溝５ａ，５ａにその両側部に設けたガイド部６ａ，６ａを摺動可能に嵌入させて成るスライド部材６とで構成されている。
【００１４】
ベース部材５の上面片側には、側面にカム部７ａを突設させてカム部材７が取り付けられており、このカム部材７に旋回部材８がその一端を支持ピン９を介して枢着することにより、この枢着位置を支点に旋回可能に取り付けられている。尚、カム部７ａは旋回部材８の方向へ突出して設けられている。旋回部材８の他端部は、スライド部材６に設けたガイド長孔６ｂにガイドピン１０を介して軸着されており、カム部７ａに先端を当接させてスライダー１１が旋回部材８に摺動可能に取り付けられている。
【００１５】
そして、このスライダー１１と旋回部材８との間には該スライダー１１をカム部７ａの方向へ摺動附勢させるコイルスプリングから成る弾性手段１２が設けられている。尚、ガイドピン１０を嵌着させたものはカラー部材１３である。
【００１６】
したがって、第１の筐体２と第２の筐体３は、これを一方向へ押したり、引いたりすることにより、スライド手段４のスライド部材６のガイド部６ａ，６ａがベース部材５のガイド溝５ａ，５ａに案内されて、一方向のいずれかの方向にも相対的に摺動可能である。また、ベース部材５とスライド部材６は、ガイド溝５ａ，５ａとガイド部６ａ，６ａが互いに係合していることにより、上下方向へ分離されない。そして、第１の筐体２と第２の筐体３を完全に重ね合わせた閉成状態の図１に示した状態においては、図４に実線で示したように、スライダー１１の先端は、カム部材７のカム部７ａの始端部ａの位置にあって、開成方向へ附勢されているので、第１の筐体２と第２の筐体３を互いに閉成状態でロックさせている。
【００１７】
この状態から第１の筐体２を第２の筐体３に対して開くべく手前側へ引くか、或は第２の筐体３を第１の筐体２に対して前方へ押すかすると、スライド部材６がベース部材５に案内されて摺動しようとする。この摺動動作に応じて旋回部材８が支持ピン９を支点に図中反時計方向へ旋回しようとする力を受けるので、スライダー１１が弾性手段１２の押圧力に抗してカム部材７のカム部７ａの湾曲傾斜面に押されて引込むことになる。したがって、第１の筐体２と第２の筐体３を閉成状態からこれを開成方向へ摺動させようとすると、スライダー１１が弾性手段１２による押圧力に抗することになるので、若干の抵抗がある。このようにして、第１の筐体２と第２の筐体３は相対的に摺動して開かれる。
【００１８】
次に、第１の筐体２と第２の筐体３が図２に示したように、その摺動ストロークの中ほどまで、摺動させられると、図４に想像線で示したように、スライダー１１の先端はカム部材７のカム部７ａの隆起部ｂに達し、さらに、第１の筐体２と第２の筐体３の摺動操作を続けて行うと、旋回部材８はさらに反時計方向へ旋回し、ベース部材５とスライド部材６の相対的な位置も、図４に想像線で示したように変化することにより、スライダー１１の先端は、カム部７ａも隆起部ｂより、終端部ｃへ移動することになる。この時に旋回部材８は弾性手段１２の押圧力がスライダー１１を押すことにより、回転トルクが発生して図中反時計方向へ旋回を附勢されることにより、第１の筐体２と第２の筐体３は互いに開成方向に向けて摺動附勢されて自動的に開かれることになる。
【００１９】
そして、開かれた位置で第１の筐体２と第２の筐体３が元に戻ろうとする力を加えても、旋回部材８は反時計方向へ旋回しようとする力を受けていることから、ある程度以上の力を加えないと戻らないので、第１の筐体と第２の筐体は開成状態でロックされる。
【００２０】
次に、第１の筐体２と第２の筐体３を開成位置から閉成位置へスライドさせるべく、開成時とは反対方向の力を加えると、スライダー１１の先端が終端部ｃよりカム部材７のカム部７ａの湾曲突出部を登ることによって閉成操作が可能となり、所定の閉成位置からスライダー１１の先端がカム部材７のカム部７ａの湾曲突出部を弾性手段１２によって押されて下ることにより旋回部材８に時計方向の回転トルクが発生し、第１の筐体２と第２の筐体３は自動的に閉じられてスライダー１１の先端がカム部７ａの始端部ａの位置に戻ることにより上述したようにロックされる。
【００２１】
このようにして、第１の筐体２と第２の筐体３は、所定の相対的摺動位置から開成方向へ自動的に摺動して開かれることになり、所定の相対的摺動位置から閉成方向へ自動的に閉じられることになる。そして、閉成状態と開成状態でロックされる。
【００２２】
尚、このロック手段は、ベース部材５とスライド部材６との間に設けても良い。さらに、カム部材７のカム部７ａの形状を変えることにより、クリック停止をさせたり、開成方向或は閉成方向のいずれか一方においてのみ、第１の筐体２と第２の筐体３を摺動附勢させるように構成することもできる。
【実施例２】
【００２３】
図８と図９は、スライド手段の他の実施例を示す。図面によれば、スライド手段２０は、携帯電話機２１の第１の筐体２２と第２の筐体２３のいずれか一方に離間対向させて平行に取り付けられる一対のスライドケース２４，２４と、このスライドケース２４，２４の長手方向に係合状態で摺動可能に取り付けられ前記第１の筐体２２と第２の筐体２３のいずれか他方に取り付けられたスライドピン２５とで構成されている。
【００２４】
そして、カム部材２６を第１の筐体２２と第２の筐体２３のいずれか一方に取り付け、旋回部材２７を第１の筐体２２と第２の筐体２３のいずれか他方に設けたガイド長孔２８にガイドピン２９を介して係合させるものである。
【００２５】
このように構成してもこの発明の目的は達成でき、スライド装置の設置スペースを省略できる利点を有する。
【実施例３】
【００２６】
図１０乃至図１２は、スライド手段のさらに他の実施例を示す。図面によれば、スライド手段３０は、携帯電話機３１の第１の筐体３２の上部両側の長手方向にガイド溝３２ａ，３２ａを設け、第２の筐体３３の下部両側にガイド溝３２ａ，３２ａに摺動可能に係合させたガイド部３３ａ，３３ａを設けたものである。そして、カム部材３４は第１の筐体３２の上面に取り付けられ、旋回部材３５の自由端側に設けたガイドピン３６を第２の筐体３３の下面に設けたガイド長孔３３ｂへ係合させている。
【００２７】
このように実施してもこの発明の目的は達成でき、スライド手段の構成を簡単にすることができる。
【産業上の利用可能性】
【００２８】
この発明は以上のように構成したので、スライド式の携帯電話機のように全体として厚さを薄くすることが要求される携帯端末に実施して第１の筐体と第２の筐体をセミオートで開閉させることができる。
【図面の簡単な説明】
【００２９】
【図１】この発明に係るセミオート式のスライド装置を実施した携帯電話機の平面図である。
【図２】図１の状態から第１の筐体と第２の筐体を少しスライドさせて見た平面図である。
【図３】図２の状態から、第１の筐体と第２の筐体をさらにスライドさせて両者を開成状態にした平面図である。
【図４】この発明に係るスライド装置の平面図である。
【図５】図４のＡ−Ａ線断面図である。
【図６】図４のＢ−Ｂ線断面図である。
【図７】旋回部材とスライダーの組み付け状態を説明する平面断面図である。
【図８】この発明に係るスライド装置の他の実施例を示す平面図である。
【図９】図８の状態から第１の筐体と第２の筐体をスライドさせて開成状態とした状態の平面図である。
【図１０】この発明に係るスライド装置のさらに他の実施例を示す平面図である。
【図１１】図１０の状態から第１の筐体と第２の筐体をスライドさせて開成状態とした状態の平面図である。
【図１２】図１０に示した携帯端末を正面から見た説明図である。
【符号の説明】
【００３０】
ａ  始端部
ｂ  隆起部
ｃ  終端部
１  携帯電話機
２  第１の筐体
３  第２の筐体
４  スライド手段
５  ベース部材
５ａ  ガイド溝
６  スライド部材
６ａ  ガイド部
６ｂ  ガイド長孔
７  カム部材
７ａ  カム部
８  旋回部材
９  支持ピン
１０  ガイドピン
１１  スライダー
１２  弾性手段
１３  カラー部材
２０  スライド手段
２１  携帯電話機
２２  第１の筐体
２３  第２の筐体
２３ａ  ガイド長孔
２４  スライドケース
２５  スライドピン
２６  カム部材
２７  旋回部材
２８  ガイド長孔
２９  ガイドピン
３０  スライド手段
３１  携帯電話機
３２  第１の筐体
３２ａ  ガイド溝
３３  第２の筐体
３３ａ  ガイド部
３３ｂ  ガイド長孔
３４  カム部材
３５  旋回部材
３６  ガイドピン
【図１】
2005269070.tif 000003
【図２】
2005269070.tif 000004
【図３】
2005269070.tif 000005
【図４】
2005269070.tif 000006
【図５】
2005269070.tif 000007
【図６】
2005269070.tif 000008
【図７】
2005269070.tif 000009
【図８】
2005269070.tif 000010
【図９】
2005269070.tif 000011
【図１０】
2005269070.tif 000012
【図１１】
2005269070.tif 000013
【図１２】
2005269070.tif 000014
【手続補正書】
【提出日】平成16年8月10日(2004.8.10)
【手続補正１】
【補正対象書類名】特許請求の範囲
【補正対象項目名】全文
【補正方法】変更
【補正の内容】
【特許請求の範囲】
【請求項１】
第１の筐体と第２の筐体を上下方向に重ね合わせた状態で一方向へ相対的にスライド手段を介してスライドさせるものであって、前記第１の筐体と前記第２の筐体のいずれか一方のものの側に取り付けたカム部材と、このカム部材に一端部側を旋回可能に取り付けられ前記第１の筐体と第２の筐体のいずれか他方のものの側に設けたガイド長孔に他端部側を軸支させた旋回部材と、この旋回部材と前記カム部材の間に先端を該カム部材のカム部に当接させつつ一方向へ摺動附勢されて設けたスライダーと、を有し、前記カム部の形状をその側部から前記旋回部材の旋回方向へ突出した形状とすることにより、前記第１の筐体と第２の筐体をその相対的な所定摺動位置からいずれか一方或は双方の方向へ摺動附勢することができるように構成したことを特徴とする、セミオート式のスライド装置。
【請求項２】
前記スライド手段を、前記カム部材を取り付けて前記第１の筐体と第２の筐体のいずれか一方のものの側に取り付けたベース部材と、前記ガイド長孔を設けて前記第１の筐体と第２の筐体のいずれか他方のものの側に取り付けられ前記ベース部材との間で互いに係合状態で一方向へ摺動可能に取り付けたスライド部材と、で構成したことを特徴とする、請求項１に記載のセミオート式のスライド装置。
【請求項３】
前記スライド手段を、前記第１の筐体と第２の筐体のいずれか一方のものに取り付けたスライドケースと、このスライドケースに対し係合状態でスライド可能に取り付けられ前記第１の筐体と第２の筐体のいずれか他方のものに取り付けたスライド部材と、で構成したことを特徴とする、請求項１に記載のセミオート式のスライド装置。
【請求項４】
前記スライド手段を、前記第１の筐体と第２の筐体のいずれか一方の側に設けたガイド溝と、このガイド溝と係合すべく前記第１の筐体と第２の筐体のいずれか他方の側に設けたガイド部と、で構成したことを特徴とする、請求項１に記載のセミオート式のスライド装置。
【手続補正２】
【補正対象書類名】明細書
【補正対象項目名】全文
【補正方法】変更
【補正の内容】
【発明の詳細な説明】
【技術分野】
【０００１】
この発明は、とくにスライド式の携帯電話機のような携帯端末に用いて好適なセミオート式のスライド装置に関する。
【背景技術】
【０００２】
携帯端末の一種である携帯電話機において、キーボード部やマイク部を設けた送話部としての第１の筐体と、ディスプレイ部やスピーカー部を設けた受話部としての第２の筐体を互いに重ね合わせた状態で、第１の筐体と第２の筐体が完全に重なり合って第２の筐体で第１の筐体の上面を覆う状態と、第２の筐体を第１の筐体に対して長手方向へスライドさせて第１の筐体の上面を露出させる状態を作り出す、スライド式のものが市場に出回っている。このようなスライド式のものに用いるスライド装置を記載した公知文献として、下記する特許文献１のものが公知である。
【０００３】
【特許文献１】特開２００３−１２５０５２号公開特許公報
【発明の開示】
【発明が解決しようとする課題】
【０００４】
上述した従来公知のスライド装置は、第１の筐体と第２の筐体を所定の摺動位置から自動的に閉成位置や開成位置へ摺動附勢させるセミオート機能を有していないが、最近のものはこのセミオート機能を有することが望まれている。その際の構成として、ロータリーカムを用いることが一般的であるが、このロータリーカムを用いると、当該ロータリーカムの回転軸が第１の筐体と第２の筐体が摺動する方向に対し直交する方向に向くように用いざるを得ないため、このロータリーカムを取り付ける第１の筐体か第２の筐体の厚さを薄くするのに限界があるという問題がある。近年この種の携帯電話機に代表される携帯端末は、全体の厚さを極力薄くすることも求められている。そのためセミオート式のスライド装置を極力薄型化できるように工夫することが望まれている。
【０００５】
そこで、この発明の目的は、上下方向に極力設置スペースを取らないように工夫した、携帯端末のセミオート式のスライド装置を提供せんとするにある。
【課題を解決するための手段】
【０００６】
上述した目的を達成するためにこの発明は、第１の筐体と第２の筐体を上下方向に重ね合わせた状態で一方向へ相対的にスライド手段を介してスライドさせるものであって、前記第１の筐体と前記第２の筐体のいずれか一方のものの側に取り付けたカム部材と、このカム部材にその一端部側を旋回可能に取り付けられ前記第１の筐体と第２の筐体のいずれか他方のものの側に設けたガイド長孔に他端部側を軸支させた旋回部材と、この旋回部材と前記カム部材の間に先端を該カム部材のカム部に当接させつつ一方向へ摺動附勢されて設けたスライダーと、を有し、前記カム部の形状をその側部から前記旋回部材の旋回方向へ突出した形状とすることにより、前記第１の筐体と第２の筐体をその相対的な所定摺動位置からいずれか一方或は双方の方向へ摺動附勢することを特徴とする。
【０００７】
その際にこの発明は、前記スライド手段を、前記カム部材を取り付けて前記第１の筐体と第２の筐体のいずれか一方のものの側に取り付けたベース部材と、前記ガイド長孔を設けて前記第１の筐体と第２の筐体のいずれか他方のものの側に取り付けられ前記ベース部材との間で互いに係合状態で一方向へ摺動可能に取り付けたスライド部材と、で構成することができる。
【０００８】
この発明はさらに、前記スライド手段を、前記第１の筐体と第２の筐体のいずれか一方のものに取り付けたスライドケースと、このスライドケースに対し係合状態でスライド可能に取り付けられ前記第１の筐体と第２の筐体のいずれか他方のものに取り付けたスライド部材と、で構成することができる。
【０００９】
そして、この発明は、前記スライド手段を、前記第１の筐体と第２の筐体のいずれか一方の側に設けたガイド溝と、このガイド溝と係合すべく前記第１の筐体と第２の筐体のいずれか他方の側に設けたガイド部と、で構成することができる。
【発明の効果】
【００１０】
この発明によれば、カム部をカム部材の側部に旋回部材の旋回方向へ突出させて設け、このカム部に当接するスライダーを旋回部材に一方向へ摺動附勢させて設けたので、セミオート式となり、さらに全体として上下方向の厚さが軽減されることにより、このセミオート式のスライド装置を取り付ける携帯端末の厚さを薄肉化させることができるものである。
【発明を実施するための最良の形態】
【００１１】
以下にこの発明を携帯電話機を例にとり説明するが、この発明に係るセミオート式のスライド装置は、携帯電話機以外の携帯ゲーム機やＰＤＡ（Personal  Digital  Assistance）のような携帯端末に実施できる。
【実施例１】
【００１２】
図１乃至図７において、指示記号２のものは携帯端末の一例としての携帯電話機１の送話部を構成する第１の筐体を示し、指示記号３のものは、受話部を構成する第２の筐体を示す。
【００１３】
第１の筐体２と第２の筐体３は互いに上下方向へ重ね合わされた状態でスライド手段４を介して相対的に一方向へ摺動可能に係合されており、このスライド手段４は第１の筐体２の上面に取り付けられたベース部材５と、このベース部材５の両側部に形成されたガイド溝５ａ，５ａにその両側部に設けたガイド部６ａ，６ａを摺動可能に嵌入させて成るスライド部材６とで構成されている。
【００１４】
ベース部材５の上面片側には、側面にカム部７ａを突設させてカム部材７が取り付けられており、このカム部材７に旋回部材８がその一端部側を支持ピン９を介して枢着することにより、この枢着位置を支点に旋回可能に取り付けられている。尚、カム部７ａは旋回部材８の方向へ突出して設けられている。旋回部材８の他端部側は、スライド部材６に設けたガイド長孔６ｂにガイドピン１０を介して軸着されており、カム部７ａに先端を当接させてスライダー１１が旋回部材８に摺動可能に取り付けられている。
【００１５】
そして、このスライダー１１と旋回部材８との間には該スライダー１１をカム部７ａの方向へ摺動附勢させるコイルスプリングから成る弾性手段１２が設けられている。尚、ガイドピン１０を嵌着させたものはカラー部材１３である。
【００１６】
したがって、第１の筐体２と第２の筐体３は、これを一方向へ押したり、引いたりすることにより、スライド手段４のスライド部材６のガイド部６ａ，６ａがベース部材５のガイド溝５ａ，５ａに案内されて、一方向のいずれかの方向にも相対的に摺動可能である。また、ベース部材５とスライド部材６は、ガイド溝５ａ，５ａとガイド部６ａ，６ａが互いに係合していることにより、上下方向へ分離されない。そして、第１の筐体２と第２の筐体３を完全に重ね合わせた閉成状態の図１に示した状態においては、図４に実線で示したように、スライダー１１の先端は、カム部材７のカム部７ａの始端部ａの位置にあって、開成方向へ附勢されているので、第１の筐体２と第２の筐体３を互いに閉成状態でロックさせている。
【００１７】
この状態から第１の筐体２を第２の筐体３に対して開くべく手前側へ引くか、或は第２の筐体３を第１の筐体２に対して前方へ押すかすると、スライド部材６がベース部材５に案内されて摺動しようとする。この摺動動作に応じて旋回部材８が支持ピン９を支点に図中反時計方向へ旋回しようとする力を受けるので、スライダー１１が弾性手段１２の押圧力に抗してカム部材７のカム部７ａの湾曲傾斜面に押されて引込むことになる。したがって、第１の筐体２と第２の筐体３を閉成状態からこれを開成方向へ摺動させようとすると、スライダー１１が弾性手段１２による押圧力に抗することになるので、若干の抵抗がある。このようにして、第１の筐体２と第２の筐体３は相対的に摺動して開かれる。
【００１８】
次に、第１の筐体２と第２の筐体３が図２に示したように、その摺動ストロークの中ほどまで、摺動させられると、図４に想像線で示したように、スライダー１１の先端はカム部材７のカム部７ａの隆起部ｂに達し、さらに、第１の筐体２と第２の筐体３の摺動操作を続けて行うと、旋回部材８はさらに反時計方向へ旋回し、ベース部材５とスライド部材６の相対的な位置も、図４に想像線で示したように変化することにより、スライダー１１の先端は、カム部７ａも隆起部ｂより、終端部ｃへ移動することになる。この時に旋回部材８は弾性手段１２の押圧力がスライダー１１を押すことにより、回転トルクが発生して図中反時計方向へ旋回を附勢されることにより、第１の筐体２と第２の筐体３は互いに開成方向に向けて摺動附勢されて自動的に開かれることになる。
【００１９】
そして、開かれた位置で第１の筐体２と第２の筐体３が元に戻ろうとする力を加えても、旋回部材８は反時計方向へ旋回しようとする力を受けていることから、ある程度以上の力を加えないと戻らないので、第１の筐体と第２の筐体は開成状態でロックされる。
【００２０】
次に、第１の筐体２と第２の筐体３を開成位置から閉成位置へスライドさせるべく、開成時とは反対方向の力を加えると、スライダー１１の先端が終端部ｃよりカム部材７のカム部７ａの湾曲突出部を登ることによって閉成操作が可能となり、所定の閉成位置からスライダー１１の先端がカム部材７のカム部７ａの湾曲突出部を弾性手段１２によって押されて下ることにより旋回部材８に時計方向の回転トルクが発生し、第１の筐体２と第２の筐体３は自動的に閉じられてスライダー１１の先端がカム部７ａの始端部ａの位置に戻ることにより上述したようにロックされる。
【００２１】
このようにして、第１の筐体２と第２の筐体３は、所定の相対的摺動位置から開成方向へ自動的に摺動して開かれることになり、所定の相対的摺動位置から閉成方向へ自動的に閉じられることになる。そして、閉成状態と開成状態でロックされる。
【００２２】
尚、このロック手段は、ベース部材５とスライド部材６との間に設けても良い。さらに、カム部材７のカム部７ａの形状を変えることにより、クリック停止をさせたり、開成方向或は閉成方向のいずれか一方においてのみ、第１の筐体２と第２の筐体３を摺動附勢させるように構成することもできる。
【実施例２】
【００２３】
図８と図９は、スライド手段の他の実施例を示す。図面によれば、スライド手段２０は、携帯電話機２１の第１の筐体２２と第２の筐体２３のいずれか一方に離間対向させて平行に取り付けられる一対のスライドケース２４，２４と、このスライドケース２４，２４の長手方向に係合状態で摺動可能に取り付けられ前記第１の筐体２２と第２の筐体２３のいずれか他方に取り付けられたスライドピン２５とで構成されている。
【００２４】
そして、カム部材２６を第１の筐体２２と第２の筐体２３のいずれか一方に取り付け、旋回部材２７を第１の筐体２２と第２の筐体２３のいずれか他方に設けたガイド長孔２８にガイドピン２９を介して係合させるものである。
【００２５】
このように構成してもこの発明の目的は達成でき、スライド装置の設置スペースを省略できる利点を有する。
【実施例３】
【００２６】
図１０乃至図１２は、スライド手段のさらに他の実施例を示す。図面によれば、スライド手段３０は、携帯電話機３１の第１の筐体３２の上部両側の長手方向にガイド溝３２ａ，３２ａを設け、第２の筐体３３の下部両側にガイド溝３２ａ，３２ａに摺動可能に係合させたガイド部３３ａ，３３ａを設けたものである。そして、カム部材３４は第１の筐体３２の上面に取り付けられ、旋回部材３５の自由端側に設けたガイドピン３６を第２の筐体３３の下面に設けたガイド長孔３３ｂへ係合させている。
【００２７】
このように実施してもこの発明の目的は達成でき、スライド手段の構成を簡単にすることができる。
【産業上の利用可能性】
【００２８】
この発明は以上のように構成したので、スライド式の携帯電話機のように全体として厚さを薄くすることが要求される携帯端末に実施して第１の筐体と第２の筐体をセミオートで開閉させることができる。
【図面の簡単な説明】
【００２９】
【図１】この発明に係るセミオート式のスライド装置を実施した携帯電話機の平面図である。
【図２】図１の状態から第１の筐体と第２の筐体を少しスライドさせて見た平面図である。
【図３】図２の状態から、第１の筐体と第２の筐体をさらにスライドさせて両者を開成状態にした平面図である。
【図４】この発明に係るスライド装置の平面図である。
【図５】図４のＡ−Ａ線断面図である。
【図６】図４のＢ−Ｂ線断面図である。
【図７】旋回部材とスライダーの組み付け状態を説明する平面断面図である。
【図８】この発明に係るスライド装置の他の実施例を示す平面図である。
【図９】図８の状態から第１の筐体と第２の筐体をスライドさせて開成状態とした状態の平面図である。
【図１０】この発明に係るスライド装置のさらに他の実施例を示す平面図である。
【図１１】図１０の状態から第１の筐体と第２の筐体をスライドさせて開成状態とした状態の平面図である。
【図１２】図１０に示した携帯端末を正面から見た説明図である。
【符号の説明】
【００３０】
ａ  始端部
ｂ  隆起部
ｃ  終端部
１  携帯電話機
２  第１の筐体
３  第２の筐体
４  スライド手段
５  ベース部材
５ａ  ガイド溝
６  スライド部材
６ａ  ガイド部
６ｂ  ガイド長孔
７  カム部材
７ａ  カム部
８  旋回部材
９  支持ピン
１０  ガイドピン
１１  スライダー
１２  弾性手段
１３  カラー部材
２０  スライド手段
２１  携帯電話機
２２  第１の筐体
２３  第２の筐体
２３ａ  ガイド長孔
２４  スライドケース
２５  スライドピン
２６  カム部材
２７  旋回部材
２８  ガイド長孔
２９  ガイドピン
３０  スライド手段
３１  携帯電話機
３２  第１の筐体
３２ａ  ガイド溝
３３  第２の筐体
３３ａ  ガイド部
３３ｂ  ガイド長孔
３４  カム部材
３５  旋回部材
３６  ガイドピン